(57)【要約】【課題】外ケーブル方式のＰＣ桁で、支点間中央部や支点部上でもＰＣ鋼材配置の偏心量を多く取り、大きなプレストレスを導入すると共に、外ケーブル方式の利点を生かしてデビエータを必要としないＰＣ桁構造とＰＣ鋼材の配置方法の提供。【解決手段】上フランジ２と下フランジ３がウエブ４で連結されたＰＣ桁２７の躯体の外側にＰＣ鋼材８を配置する外ケーブル方式の単純ＰＣ橋１５で、ＰＣ桁２７の支点６間の中央部では、ＰＣ桁２７の下部躯体の外側にＰＣ鋼材８を配置すると共に、支点６の部位では、ＰＣ桁２７の上部躯体内に偏向管２４を埋設し、この偏向管２４内に前記ＰＣ桁２７の下部躯体の外側から伸びるＰＣ鋼材８を挿入配置し、その端部をウエブ４の上方から引出したうえ、このＰＣ鋼材８にプレストレスを導入したことを特徴とする。【選択図】図１
2004270178.tif 000002
【特許請求の範囲】
【請求項１】
ＰＣ桁躯体の外側にＰＣ鋼材を配置する外ケーブル方式のＰＣ橋における桁構造であって、前記ＰＣ桁の支点間中央部において、かつ桁の下部躯体外側に前記ＰＣ鋼材を配置すると共に、前記ＰＣ桁の端部に位置する支点部位においてＰＣ桁の躯体上部に偏向管を埋設し、この偏向管内に前記桁の下部躯体外側から伸びる前記ＰＣ鋼材を挿入配置したうえプレストレスを導入したことを特徴とするＰＣ橋の桁構造。
【請求項２】
ＰＣ桁躯体の外側にＰＣ鋼材を配置する外ケーブル方式のＰＣ橋における連続桁構造であって、複数の支点間に位置するＰＣ桁の支点間中央部において、桁の下部躯体外側に前記ＰＣ鋼材を配置すると共に、前記支点部位において、ＰＣ桁の上部躯体内に偏向管を埋設し、この偏向管内に前記桁の下部躯体外側から伸びる前記ＰＣ鋼材を挿入配置したうえプレストレスを導入したことを特徴とするＰＣ橋の桁構造。
【請求項３】
前記ＰＣ桁の支点間中央下部外側に溝または受け部材を設け、この溝または受け部材に前記ＰＣ鋼材を配置することを特徴とする請求項１または２記載のＰＣ橋の桁構造。
【請求項４】
請求項１〜３の何れか１項記載のＰＣ橋の桁構造では、橋梁の自重を負担する１次ケーブルと、活荷重を負担する２次ケーブルを設けた桁構造において、前記２次ケーブルが、請求項１〜３の何れか１項記載のＰＣ鋼材であるＰＣ橋の桁構造。
【発明の詳細な説明】
【０００１】
【発明の属する技術分野】
本発明は、ＰＣ橋におけるの桁構造とＰＣ鋼材の配置方法に関するものである。
【０００２】
【従来の技術】
各種の橋梁において、自動車等の荷重を直接支持するコンクリート桁には支点間で常時曲げモーメントが作用することから、Ｔ桁、箱桁、中空床版、版桁等を、コンクリート躯体にＰＣ鋼材を緊張、配置してプレストレスを導入したＰＣ桁として構成し、これによって桁の強度向上を図ることが通常行われている。
【０００３】
ＰＣ桁における曲げモーメントとＰＣ鋼材との関係を更に説明する。橋台や橋脚などの支点によって支持されるＰＣ桁に上方から荷重が作用するとき、支点間の中央部、つまり桁長手方向中央部では当該ＰＣ桁が下方に凸となる曲げモーメントが作用し、支点上部位では当該ＰＣ桁が上方に凸となる曲げモーメントが作用する。
【０００４】
下方に凸となる曲げモーメントが作用するＰＣ桁の支点間中央部では、当該ＰＣ桁の上下方向中央部（中立軸）より下部では引張力がはたらき、上下方向中央部より上部では圧縮力が働く。また、この引張力と圧縮力は、支点間中央部、つまりＰＣ桁の支点間中央部で最も大きく、支点部位に近づくにつれて小さくなる。したがって、曲げモーメントは桁長手方向の全長にわたって均一ではない。
【０００５】
ＰＣ桁にあっては、既述のようにコンクリート躯体にＰＣ鋼材を緊張して配置することにより、当該コンクリート躯体に圧縮力を導入することで引張力が作用したときに、その引張力を低減しコンクリートの耐力を向上させるものである。
したがって、曲げモーメントによって引張力が働かないＰＣ桁の上下方向中央部（中立軸）にＰＣ鋼材を配置したのでは殆ど意味がない。つまりＰＣ鋼材は、曲げモーメントにより引張力の作用する上下方向中央部よりできるだけ離して配置するのが有効である。
【０００６】
曲げモーメントが大きく作用するＰＣ桁の支点間中央部では、ＰＣ鋼材を桁の上下中央部から最も離れた位置に配置し、支点部に近づくにつれてＰＣ鋼材を桁上下方向中央部よりも上方になるように配置することが行われている。また、ＰＣ鋼材はコンクリート躯体中に配置する内ケーブル方式と、躯体の外側に配置する外ケーブル方式があり、それぞれに長所と短所があるが、桁の上下方向中央部からより遠く離して大きなプレストレスを導入する点では、外ケーブル方式が有利である。
【０００７】
図６〜図９によって、従来例を説明する。
【０００８】
図６（ａ）、（ｃ）は第１従来例を示す外ケーブル方式の単純ＰＣ桁１で、上フランジ２と下フランジ３がウエブ４で結合されたコンクリート躯体５の両端部が橋台、橋脚など上端の支承（以下、支点という）６で支持されている。また、コンクリート躯体５の下部にＰＣ鋼材（外ケーブル）８が平行に配置され、該ＰＣ鋼材にプレストレスを導入したうえ、その両端部が下フランジ３に設けられた定着ブロック７に定着されている。この第１従来例は、最も単純な外ケーブル（以下、ＰＣ鋼材という）８の配置例で、ＰＣ桁１に作用する曲げモーメントによる引張力に対し抵抗するが効率的とはいえない。
【０００９】
図６（ｂ）、（ｄ）は、第２従来例を示す外ケーブル方式の単純ＰＣ桁１で、上フランジ２と下フランジ３がウエブ４で結合されたコンクリート躯体の両端部が支点６で支持されている。コンクリート躯体の中央部寄りの部位に所定の間隔をおいて、かつ上下のフランジ３、４とウエブ４で囲まれる部位にデビエータ（偏向版）１１を固着し、このデビエータ１１によってＰＣ鋼材（外ケーブル）８を支点間中央部では、受け部材２８を介して当該桁上下方向中央部から下方に離れた部位に配置している。また桁の端部では、上下のフランジ３、４とウエブ４で囲まれる部位に端部定着壁１２を固着し、桁上下方向中央部から上方寄りの位置では、偏向管２４に挿通したＰＣ鋼材８の端部を定着装置１０にて定着している。
【００１０】
第２従来例は、大きな引張力が作用する支点間中央部では、ＰＣ鋼材８が桁上下方向中央部から下方に離れた部位になるように配置しているから、第１従来例よりも曲げモーメントによる引張力に対し強く抵抗する。しかし、この第２従来例の問題として、ＰＣ鋼材８を桁上下方向中央部から下方に離しているが、それでも下ウエブ４よりも上部位置であり、その配置構造からして未だ最大の圧縮力（プレストレス）を支点間中央部に導入しているとはいえない。
【００１１】
図７は第３従来例を示し、複数の主桁１３を横桁兼用定着壁１６を介して一体化して構築した外ケーブル方式の単純ＰＣ橋１５を示す。主桁１３は、上フランジ２と下フランジ３がウエブ４で結合されたコンクリート躯体からなり、主桁１３の端部が支点６で支持されている。主桁１３の中央部寄りの部位に所定の間隔をおいて、かつ隣合う主桁１３における上下のフランジ２，３とウエブ４で囲まれる部位にデビエータ（偏向版）を兼用する中間隔壁１４を配置し、この中間隔壁１４の下部にＰＣ鋼材（外ケーブル）８を配置する。したがって、ＰＣ鋼材８は支点間中央部おいては、桁上下方向中央部から下方に離れた部位に配置されている。また、主桁１３の端部では、隣り合う主桁１３の上下のフランジ２、３とウエブ４で囲まれる部位に設けられた横桁兼用定着壁１６において、桁上下方向中央部から上方寄りの位置にＰＣ鋼材８の端部が導かれ、定着装置１０にて定着されている。
【００１２】
第３従来例には、第２従来例と共通する問題がある。すなわち、中間隔壁１４の下部では、ＰＣ鋼材８を桁上下方向中央部から下方に離しているが、中間隔壁１４の下部は、主桁１３の下ウエブ４の位置より上方部であり、その配置構造からして、未だ最大の圧縮力（プレストレス）を支点間中央部に導入しているとはいえない。
【００１３】
図８は第４従来例を示す内ケーブル方式の単純ＰＣ桁１で、上フランジ２と下フランジ３がウエブ４で結合されたコンクリート躯体の両端部が支点６で支持されている。ＰＣ鋼材（内ケーブル）８は、支点間中央部では、下フランジ３内に挿通されていて、桁上下方向中央部から下方に離れた部位に配置している。また、ＰＣ桁１（コンクリート躯体）の端部では、上下のフランジ２、３とウエブ４で囲まれる部位に端部定着壁１２を固着し、桁上下方向中央部から上方寄りの位置では、ＰＣ鋼材８を端部定着壁１２に挿通させた上、ＰＣ鋼材８の端部を定着装置１０にて定着している。
【００１４】
第４従来例は、大きな引張力が作用する支点間中央部では、ＰＣ鋼材８が桁上下方向中央部から下方に離れた部位になるように配置しているが、内ケーブル方式であるが故に、ＰＣ鋼材８を桁上下方向中央部から下方に離れた部位になるように配置することに限界があり、未だ最大の圧縮力（プレストレス）を支点間中央部に導入しているとはいえない。
【００１５】
図９は、第５従来例を示す外ケーブル方式の単純ＰＣ箱桁１８で、上床版１９と下床版２０が両側版２１で連結され内部が中空の箱桁が構築されていて、ＰＣ箱桁１８の端部は支点６で支持されている。ＰＣ箱桁１８の中央部寄り中空部内にデビエータ２２が設けられていて、支点間中央部では、ＰＣ鋼材（外ケーブル）８は、デビエータ２２によって桁上下方向中央部から下方に離れた部位に配置している。また、ＰＣ箱桁１８の端部では、ＰＣ箱桁１８の中空部内に端部定着壁２３が設けられていて、桁上下方向中央部から上方寄りの位置では、端部定着壁２３にＰＣ鋼材８を挿通させた上、ＰＣ鋼材８の端部を定着装置１０にて定着している。
【００１６】
第５従来例のＰＣ箱桁１８は、ＰＣ鋼材８をコンクリート躯体の外側に配置するという点で、大きいプレストレスを導入するうえで具合がよい外ケーブル方式であるが、ＰＣ鋼材８は、下床版２０の下側に配置するのではなく、支点間中央部では、デビエータ２２によって偏向されているので、ＰＣ鋼材を桁上下方向中央部から下方に離れた部位に配置する点で限界があり、ＰＣ箱桁１８の支点間中央部の下部に大きな引張力が作用する部位に最大の圧縮力をに導入しているとはいえない。なお、前記と関連する先行技術としては下記の特許がある。
【００１７】
【特許文献１】
特許第２７５９７５５号公報
【００１８】
【発明が解決しようとする課題】
ＰＣ桁にプレストレスを導入するＰＣ鋼材は、桁上下方向中央部よりもより遠く離して配置した方が、より大きな圧縮力（プレストレス）をコンクリート躯体に導入する上で有利であり、この点ではＰＣ鋼材をコンクリート躯体内に配置する内ケーブル方式よりも、コンクリート躯体の外に配置する外ケーブル方式が有利である。
【００１９】
このことから、従来も外ケーブル方式は、橋梁の桁構造あるいは箱桁構造に実施されているが、外ケーブル（ＰＣ鋼材）の配置は、桁の場合は下フランジ内、箱桁の場合は下床版上に配置されていることが多い。なお、箱桁では、支間中央部のみ下床版内にＰＣ鋼材を配置した例（つまり内ケーブル方式）があり、これは箱桁の上下方向中央部（中立軸）からの偏心量を多くとり、プレストレスを有効に働かせることを考えたものである。
【００２０】
従来ＰＣ桁では外ケーブル方式はむしろ少なく、内ケーブル方式が多かったが、近年、桁の外部にＰＣ鋼材を配置する外ケーブル方式が多く採用されるようになり、新たなＰＣ技術の展開が開けてきた。しかし、この外ケーブル方式ではＰＣ鋼材の配置に関しては、従来の概念が支配しており、従来通りのＰＣ鋼材の偏心配置が行われているのが現状である。
【００２１】
本発明は、ＰＣ桁が▲１▼外ケーブル方式で、しかも支点間中央部ではＰＣ鋼材配置の偏心量を多く取り、かつデビエータを必要としない。▲２▼支点部上でも偏心量を多く取ることのできるＰＣ橋のＰＣ桁構造を提供することを目的とする。
【００２２】
【課題を解決するための手段】
前記の目的を達成するため、本発明は次のように構成する。
【００２３】
第１の発明は、ＰＣ桁躯体の外側にＰＣ鋼材を配置する外ケーブル方式のＰＣ橋における桁構造であって、前記ＰＣ桁の支点間中央部において、かつ桁の下部躯体外側に前記ＰＣ鋼材を配置すると共に、前記ＰＣ桁の端部に位置する支点部位においてＰＣ桁の躯体上部に偏向管を埋設し、この偏向管内に前記桁の下部躯体外側から伸びる前記ＰＣ鋼材を挿入配置したうえプレストレスを導入したことを特徴とする。
【００２４】
第２の発明は、ＰＣ桁躯体の外側にＰＣ鋼材を配置する外ケーブル方式のＰＣ橋における連続桁構造であって、複数の支点間に位置するＰＣ桁の支点間中央部において、桁の下部躯体外側に前記ＰＣ鋼材を配置すると共に、前記支点部位において、ＰＣ桁の上部躯体内に偏向管を埋設し、この偏向管内に前記桁の下部躯体外側から伸びる前記ＰＣ鋼材を挿入配置したうえプレストレスを導入したことを特徴とする。
【００２５】
第３の発明は、第１または第２の発明で、前記ＰＣ桁の支点間中央下部外側に溝または受け部材を設け、この溝または受け部材に前記ＰＣ鋼材を配置することを特徴とする。
【００２６】
第４の発明は、第１〜第３発明のＰＣ橋の桁構造では、橋梁の自重を負担する１次ケーブルと、活荷重を負担する２次ケーブルを設けた桁構造において、前記２次ケーブルが、第１〜第３発明の何れか１項記載のＰＣ鋼材であることを特徴とする。
【００２７】
【作用】
本発明によると、ＰＣ橋における支点間中央部では、ＰＣ鋼材を桁の中立軸（イ）からできるだけ離し偏心量を多くとるうえで有利となるよう、当該ＰＣ鋼材を桁の躯体外側に配置する外ケーブル方式とし、支点部位では、上床版近傍に偏向管を配置しその中にＰＣ鋼材を配置することで、当該ＰＣ鋼材を桁の中立軸（イ）からできるだけ離し偏心量を多くとる構造とすることができ、それにより、桁に作用する大きな引張力に対し、より大きな圧縮力（プレストレス）を導入して有効に対応させることができる。さらに、下床版の下部（躯体外側）に溝を形成しまたは、受け部材を配設してそこにＰＣ鋼材を配置することで、ＰＣ鋼材を強制的に下方に偏位させるため上下の床版の間に配設するデビエータ（偏向版）を必要としない構造にでき、ＰＣ橋の全体構造を簡潔にできる。
【００２８】
【発明の実施の形態】
図を参照して本発明に実施形態を説明する。
【００２９】
図１は第１実施形態を示し、図（ａ）は、複数の主桁１３を横桁兼用定着壁１６を介して一体化して構築した外ケーブル方式の単純ＰＣ桁橋１５の側面図、図（ｂ）は、同図（ａ）の支点中央部のＡ−Ａ断面図、（ｄ）は、同図（ａ）の支点部のＢ−Ｂ断面図である。
【００３０】
図１において、主桁１３は、上フランジ２と下フランジ３がウエブ４で結合されたコンクリート躯体からなり、複数の上フランジ２によって上床版１９が構成されている。この主桁１３の端部は支点（支承部）６で支持されている。また、主桁１３の中央部寄りの部位に所定の間隔をおいて、かつ隣合う主桁１３における上下のフランジ２，３とウエブ４で囲まれる部位にデビエータ（偏向版）を兼用する中間隔壁１４が配置され、この中間隔壁１４の下部にＰＣ鋼材（外ケーブル）８を配置する。したがって、ＰＣ鋼材８は、支点間中央部では、当該桁上下方向中央部（イ）から下方に離れた部位に配置している。
【００３１】
また主桁１３の端部、つまり支点６では、かつ隣り合う主桁１３の上下のフランジ２、３とウエブ４で囲まれる部位に横桁兼用定着壁１６を固着している。さらに、本発明では、横桁兼用定着壁１６と上フランジ２にかけてコンクリート躯体中に偏向管２４が傾斜して埋設されていて、この偏向管２４の下端側は横桁兼用定着壁１６の肉厚を貫通して支点間中央下部に向けて開口している。また、偏向管２４の上端側は上フランジ（上床版）の端部に開口している。
【００３２】
このＰＣ橋におけるＰＣ鋼材８は、支点間中央部における中間隔壁１４の下側に配置され、両端側は斜め上方に延長されてその端部は横桁兼用定着壁１６と上床版１９に渡って埋設された偏向管２４における支点間中央下部に向けて開口している下端開口部２５に挿入されたうえ、偏向管２４の上端開口部２６から引出され、引出したＰＣ鋼材端部は定着装置１０により定着されている。
【００３３】
また、支点６の上部におけるＰＣ鋼材８の配置位置は、従来のように横桁兼用定着壁１６の壁面上部（図７参照）としてもよいが、図１（ｃ）のように横桁兼用定着壁１６よりもさらに上方に位置する上床版１９とすれば、支点６の上部においても桁の中立軸（イ）からより遠い位置にＰＣ鋼材８が配置でき、このように構成することで、支点６近傍において、桁の中立軸（イ）から上方部位で作用する引張力を打ち消す一層大きなプレストレスをできる。
【００３４】
図２（ａ）〜（ｃ）は第２実施形態を示し、図（ａ）は、単純ＰＣ橋１５における外ケーブル方式のＰＣ桁２７の側面図、図（ｂ）は、同図（ａ）の支点間中央部のＣ−Ｃ断面図、図（ｃ）は、同図（ａ）の支点部のＤ−Ｄ断面図である。
【００３５】
第２実施形態では、ＰＣ桁２７は、上フランジ２と下フランジ３がウエブ４で結合されたコンクリート躯体で構成され、ＰＣ桁２７の両端部が支点６で支持されている。ＰＣ鋼材（外ケーブル）８は、支点間中央部では、下フランジ３の下部に溝または断面が円弧状の受け部材２８を設け、この溝または受け部材２８にＰＣ鋼材８が配置してある。したがって、ＰＣ鋼材８は、大きな引張力が作用する支点間中央部位においては、ＰＣ桁２７の上下方向中央部（イ）から下方に離れた部位に位置しており大きなプレストレスを有効に導入でき、大きな引張力に抵抗できる。
【００３６】
また、ＰＣ桁２７（コンクリート躯体）の端部では、上下のフランジ２、３とウエブ４で囲まれる部位に端部定着壁１２を固着し、この端部定着壁１２におけるコンクリート躯体中に偏向管２４が傾斜して埋設されている。この偏向管２４の下端部は端部定着壁１２の肉厚を貫通して支点間中央下部に向けて、下フランジ３の下部に開口している。また、偏向管２４の上端側は端部定着壁１２の上部に導かれたうえブロック端部に開口しており、この偏向管２４の上端開口部２５の位置はウエブ４の上端の高さ位置よりもさらに上方部に位置しており、したがってＰＣ鋼材８の引出し端部は、ウエブ４の上端位置（図２点線４ａで示す）よりもさらに上方の位置にある。
【００３７】
前記のＰＣ桁２７におけるＰＣ鋼材８は、支点間中央部では下フランジ３の下側に配置され、更に両端部は斜め上方に延長され、その端部は端部定着壁１２の上部の偏向管２４内に挿通され、支点間中央下部に向けて下フランジ３の下部に開口している下端開口部２５に挿入されたうえ、偏向管２４の上端開口部２６から引出され、引出したＰＣ鋼材端部は定着装置１０により定着されている。
【００３８】
第２実施形態においては、ＰＣ桁２７に作用する下向きの曲げモーメントにより大きな引張力が発生する支点間中央部では、ＰＣ鋼材８が下フランジ３の下部に配置されているので、桁上下方向中央部（中立軸イ）から下方に離れた部位になるように配置されることになる。これにより大きな引張力が作用する支点間中央部では、ＰＣ桁２７の下フランジ３に大きなプレストレスを導入することが出来る。また、支点６の上方部では、ＰＣ鋼材８の端部はウエブ４の上端４ａよりもさらに上方の位置にあるので、支点６の近傍において、ＰＣ桁２７に作用する引張力に抵抗するように大きなプレストレスを導入することが出来る。
【００３９】
図３（ａ）〜（ｄ）は第３実施形態を示し、図（ａ）は、単純ＰＣ橋１５における外ケーブル方式のＰＣ桁２７の側面図、図（ｂ）は、同図（ａ）の支点間中央部のＥ−Ｅ断面図、図（ｃ）は、同図（ａ）の支点部のＦ−Ｆ断面図、図（ｄ）は、同図（ｃ）の部分拡大図である。
【００４０】
第３実施形態のＰＣ桁２７では、コンクリート躯体内に内ケーブル方式で橋梁の自重を負担する１次ケーブル２９が配置されていて、またコンクリート躯体外に外ケーブル方式で橋梁の活荷重を負担する２次ケーブル３０が配置されている。２次ケーブル３０は、第２実施形態におけるＰＣ鋼材８に相当するものであり、支点間中央部では、下フランジ３の下側に配置され、支点６の部位の端部では端部定着壁１２の上方部の偏向管２４内に挿通された上、支点間中央下部に向けて下フランジ３の下部に開口している下端開口部２５に挿入されたうえ、偏向管２４の上端開口部２６から引出され、引出したＰＣ鋼材８の端部は定着装置１０により定着されている。
【００４１】
第３実施形態によると、２次ケーブル３０（ＰＣ鋼材８）によって、第２実施形態と同様の作用効果が奏されるうえ、橋梁の自重を負担する１次ケーブル２９によって、ＰＣ桁の強度が一層増大する。
【００４２】
第２、第３実施形態では、偏向管２４を配置しながらＰＣ桁２７を構築する工程の例を概要的に説明する
【００４３】
（Ａ）固定支保工の場合（第２実施形態に示す１次ケーブルを使用しない場合）▲１▼固定支保工を組む。▲２▼形鋼枠鉄筋を組む。▲３▼桁の支点間中央部では、桁の下部に溝となるような半円形の形枠を取付ける。桁の端部、つまり支点６側かに上向きになるよう偏向管２４を配置、上フランジ２（上床版１９）に入るまで偏向管２４の上端を上げる。▲４▼コンクリートを打設する。▲５▼偏向管２４にＰＣ鋼材（外ケーブル）８を挿入してコンクリート強度が所定の強度に達したのを確認して、緊張定着する。▲６▼支保工を解体する。
【００４４】
（Ｂ）固定支保工以外の場合（第３実施形態に示すように、１次、２次ケーブルを使用する場合）
▲１▼桁を製作し、１次ケーブルを緊張定着する。▲２▼ガーダーまたはレッカー等で架設する。▲３▼２次ケーブル（ＰＣ鋼材８）を配置緊張する。▲４▼上床版等を打設する。
【００４５】
次に、図４（ａ）〜（ｃ）は第４実施形態を示す。図（ａ）は、単純ＰＣ箱桁橋３１における外ケーブル方式のＰＣ箱桁３２の側面図、図（ｂ）は、同図（ａ）の支点間中央部のＧ−Ｇ断面図、図（ｃ）は、同図（ａ）の支点部のＨ−Ｈ断面図である。
【００４６】
第４実施形態では、上床版１９と下床版２０が両側版２１で連結され内部が中空のＰＣ箱桁３２が構築されていて、ＰＣ箱桁３２の端部は支点６で支持されている。また、支点間中央部では、下床版の下側（躯体の外側）に溝または受け部材２８を設け、この溝または受け部材２８にＰＣ鋼材８が配置してある。
【００４７】
このようにしてＰＣ鋼材８は、ＰＣ箱桁３２における大きな引張力が作用する支点間中央部では、ＰＣ箱桁３２の上下方向中央部（イ）から下方に大きく離れた部位に位置しており、したがって、最も大きな引張力が作用するＰＣ箱桁３２の支点間の中央下部にプレストレスを有効に導入でき、大きな引張力に抵抗できる。
【００４８】
また、ＰＣ箱桁３２の端部、つまり支点６では、ＰＣ箱桁３２中空部内に端部定着壁２３が設けられていて、本発明では、この端部定着壁２３と上床版１９にかけてコンクリート躯体中に偏向管２４が傾斜して埋設されていて、この偏向管２４の下端側は、端部定着壁２３の肉厚を貫通して支点間中央下部に向けて開口している。また、偏向管２４の上端側は上床版１９の端部に開口している。
【００４９】
このＰＣ箱桁橋３１におけるＰＣ鋼材８は、支点間中央部では、下床版２０の下側（躯体外側）に配置され、さらにＰＣ鋼材８の両端部は斜め上方に延長され、その端部は端部定着壁２３と上床版１９に渡って埋設された偏向管２４における支点間中央下部に向けて開口している下端開口部２５に挿入されたうえ、偏向管２４の上端開口部２６から引出され、引出したＰＣ鋼材端部は定着装置１０により定着されている。
【００５０】
第４実施形態の構成で、従来例と最も相異している点は次のとおりである。すなわち、従来構造は、ＰＣ箱桁１８の支点６におけるＰＣ鋼材８の配置位置が端部定着壁２３の壁面上部（図７参照）である。それ故に、支点６近傍において、桁の中立軸（イ）から上方に作用する引張力を打ち消すプレストレスの導入量に限界があった。これに比べ本発明では、ＰＣ鋼材８の支点６における配置位置が、端部定着壁２３ではなく、それよりも更に上方の上床版１９（図１参照）である。それ故、支点６の近傍において、桁の中立軸（イ）から上方部部位に作用する引張力を打ち消す大きなプレストレス導入することができることである。
【００５１】
このように、下向きに凸の曲げモーメントが作用するＰＣ箱桁３２の支点間中央部では、ＰＣ鋼材８を下床版２０の下側（躯体外側）に配置することで、下床版２０に作用する引張力を打ち消す大きなプレストレスを導入でき、また、上向きに凸の曲げモーメントが作用するＰＣ箱桁３２の支点６近傍では、ＰＣ鋼材８を上床版１９の上側に配置することで、ＰＣ箱桁３２に作用する引張力を打ち消す大きなプレストレスを導入できる。
【００５２】
図５は第５実施形態を示し、図１の単純ＰＣ桁橋１５の構成を連続ＰＣ桁橋３３に適用した例を示す。基本的な構成は図１と共通であるので、図１と共通要素には共通符号を付して詳細説明を省略し、図１と異なる部分を説明する。連続ＰＣ桁橋３３は、複数の上フランジ２と下フランジ３をウエブ４で連結してなる複数のＰＣ桁２７を横組工で構築される。すなわち、ＰＣ鋼材８は支点間中央部では、複数のデビエータ兼用の中間隔壁３４によって偏向されてＰＣ桁２７の下部に配置されており、支点６では、デビエータ兼用の中間支点横桁３４が設けられている。
【００５３】
さらに、中間支点６ａに設けられるデビエータ兼用の中間支点横桁３５の上部において、上フランジ２（上床版１９）内には、中間支点横桁３４の両側部位において上フランジ２下面に両端が開口する断面ほぼ「く」の字状の偏向管２４が埋設してある。そして、支点間中央部に位置する複数のデビエータ兼用の中間隔壁３４の下部から伸びるＰＣ鋼材８は、この中間支点６ａにおいて、上フランジ２に埋設の偏向管２４を挿通することで、中間支点６ａにおいて山型に上下に大きく乗り越えて連続ＰＣ桁橋３３の橋軸方向一端側から他端側に向けて導かれる。
【００５４】
したがって、この第５実施形態では、中間支点６ａの近傍において、上に凸の曲げモーメントによりＰＣ桁２７に作用する引張力を、桁の中立軸（イ）から離れた上フランジ２に配置のＰＣ鋼材８により導入する大きなプレストレスにより効率的に打ち消すことが出来る。
【００５５】
本発明において、各実施形態の構成を適宜設計変更して実施することは構わない。
【００５６】
【発明の効果】
本発明によると、ＰＣ橋における支点間中央部では、ＰＣ鋼材を中立軸（上下方向中央部）（イ）からできるだけ離し偏心量を多くとるうえで有利となるよう、当該ＰＣ鋼材を桁の躯体外側に配置する外ケーブル方式とし、支点部位では、上床版内に偏向管を配置しその中にＰＣ鋼材を配置することで、当該ＰＣ鋼材を中立軸（イ）からできるだけ離し偏心量を多くとる構造とすることができ、それにより、桁に作用する大きな引張力に対し、より大きな圧縮力（プレストレス）を導入して有効に対応させることができる。さらに、下床版の下部（躯体外側）に溝を形成しまたは、受け部材を配設してそこにＰＣ鋼材を配置することで、ＰＣ鋼材を強制的に下方に偏位させるため上下の床版の間に配設するデビエータ（偏向版）を必要としない構造にでき、ＰＣ橋の全体構造を簡潔にできる。
【図面の簡単な説明】
【図１】第１実施形態を示し、（ａ）は、複数の主桁を横桁兼用定着壁を介して一体化して構築した外ケーブル方式の単純ＰＣ橋の側面図、（ｂ）は、同図（ａ）のＡ−Ａ断面図、同図（ｂ）は、同図（ａ）のＢ−Ｂ断面図である。
【図２】第２実施形態を示し、（ａ）は、単純ＰＣ橋における外ケーブル方式のＰＣ桁の側面図、（ｂ）は、同図（ａ）のＣ−Ｃ断面図、同図（ｂ）は、同図（ａ）のＤ−Ｄ断面図である。
【図３】第３実施形態を示し、（ａ）は、単純ＰＣ橋における外ケーブル方式の単純ＰＣ橋の側面図、（ｂ）は、同図（ａ）のＥ−Ｅ断面図、（ｃ）は、同図（ｂ）の部分拡大図、（ｄ）は、同図（ａ）のＦ−Ｆ断面図である。
【図４】第４実施形態を示し、図（ａ）は、単純ＰＣ箱桁橋における外ケーブル方式のＰＣ箱桁の側面図、図（ｂ）は、同図（ａ）のＧ−Ｇ断面図、（ｃ）は、同図（ａ）のＨ−Ｈ断面図である。
【図５】第５実施形態を示し、図（ａ）は、連続ＰＣ桁橋の側面図、図（ｂ）は、同図（ａ）のＩ−Ｉ断面図、（ｃ）は、同図（ａ）のＪ−Ｊ断面図、（ｄ）は、同図（ａ）のＫ部の拡大断面図である。
【図６】（ａ）は、第１従来例を示す外ケーブル方式の単純ＰＣ桁の側面図、（ｃ）は、同図（ａ）のＬ−Ｌ断面図、（ｂ）は、第２従来例を示す外ケーブル方式の単純ＰＣ桁の側面図、（ｄ）は、同図（ｂ）のＭ−Ｍ断面図である。
【図７】第３従来例を示し、図（ａ）は、複数の主桁を横桁兼用端部定着壁を介して一体化して構築した外ケーブル方式の単純ＰＣ橋の側面図、図（ｂ）は、同図（ａ）のＮ−Ｎ断面図、同図（ｂ）は、同図（ａ）のＯ−Ｏ断面図である。
【図８】第４従来例を示し、図（ａ）は、単純ＰＣ橋における外ケーブル方式のＰＣ桁の側面図、図（ｂ）は、同図（ａ）のＰ−Ｐ断面図、図（ｃ）は、同図（ａ）のＱ−Ｑ断面図である。
【図９】第５従来例を示し、図（ａ）は、単純ＰＣ箱桁橋における外ケーブル方式のＰＣ箱桁の側面図、図（ｂ）は、同図（ａ）Ｒ−Ｒ断面図、図（ｃ）は、同図（ａ）のＳ−Ｓ断面図である。
【符号の説明】
１  単純ＰＣ桁
２  上フランジ
３  下フランジ
４  ウエブ
５  コンクリート躯体
６  支点（支承）
７  定着ブロック
８  ＰＣ鋼材
１０  定着装置
１１  デビエータ
１２  端部定着壁
１３  主桁
１４  中間隔壁
１５  単純ＰＣ桁
１６  横桁兼用定着壁
１８  単純ＰＣ箱桁
１９  上床版
２０  下床版
２１  両側壁
２２  デビエータ
２３  端部定着壁
２４  偏向管
２５  下端開口部
２６  上端開口部
２７  ＰＣ桁
２８  溝または受け部材
２９  １次ケーブル
３０  ２次ケーブル
３１  単純ＰＣ箱桁橋
３２  ＰＣ箱桁
３３  連続
３４  デビエータ兼用中間隔壁
３５  デビエータ兼用中間支点横桁
【図１】
2004270178.tif 000003
【図２】
2004270178.tif 000004
【図３】
2004270178.tif 000005
【図４】
2004270178.tif 000006
【図５】
2004270178.tif 000007
【図６】
2004270178.tif 000008
【図７】
2004270178.tif 000009
【図８】
2004270178.tif 000010
【図９】
2004270178.tif 000011